(57)【要約】  人工歯２を開口部１４〜１７より挿入して収納する複数の収納ポケット１０〜１３を備える収納部材７と、該収納部材７に固定されて、前記人工歯２を収納した前記複数の収納ポケット１０〜１３の開口部１４〜１７を封止するシール部材８とで構成されることを特徴とする、人工歯包装容器１。
2009019770.tif 000002
【特許請求の範囲】
【請求項１】
人工歯を開口部より挿入して収納する複数の収納ポケットを備える収納部材と、
該収納部材に固定されて、前記人工歯を収納した前記複数の収納ポケットの開口部を封止するシール部材と
で構成されることを特徴とする、人工歯包装容器。
【請求項２】
前記複数の収納ポケットが、前記収納部材に相互に分離して形成された複数の開口部と、該複数の開口部に連設された周壁と該周壁に連設されたベース壁とで構成された複数の壁部とからなることを特徴とする、請求項１に記載の人工歯包装容器。
【請求項３】
前記複数の収納ポケットが、前記収納部材の一方の面に一体化して形成された開口部と、該開口部に連設された周壁と該周壁に連設されたベース壁とで構成された外周壁部と、該外周壁部のベース壁に垂設されて前記外周壁部に規定された空間を複数に区画する仕切壁とからなることを特徴とする、請求項１に記載の人工歯包装容器。
【請求項４】
前記収納部材が、前記シール部材を摺動させる摺動用溝部と前記シール部材の摺動を制限する固定用溝部とを形成する折曲部を備えることを特徴とする、請求項１〜３のいずれかに記載の人工歯包装容器。
【発明の詳細な説明】
【技術分野】
【０００１】
本発明は、歯科医療おいて義歯作製時に使用する人工歯の搬送や保管等を目的として使用される人工歯包装容器に関するものである。
【背景技術】
【０００２】
既製の人工歯は、咬合器を用いて義歯を作製する際に、ワックスリムに形成した隆起部に配置し、個々の患者の咬合状態に合わせてその排列を調節する。前記人工歯には、通常、左右の中切歯、側切歯、犬歯を含んだ前歯に対応する人工歯１２本と、上顎及び下顎左右の第１小臼歯、第２小臼歯、第１大臼歯、第２大臼歯を含んだ臼歯に対応する人工歯１６本とがある。通常、前記人工歯の販売に際しては、上顎用又は下顎用の人工前歯６本、あるいは、上顎用又は下顎用の人工臼歯８本を一列に配置して、樹脂製の座板上に粘着ワックス等で固定する（例えば、特許文献１及び特許文献２）。人工歯の色調及び形態、製造社名等の必要事項を歯科医師や歯科技工士に提供するため、前記座板には、人工歯の収容部よりも上方又は下方に位置する表示用のスペースが設けられる。特許文献３には、形態選択と色調選択が容易に行える人工歯付座板が開示されている。【０００３】
前記特許文献１〜３のように構成された座板に人工歯を固定する場合、通常、ワックスが使用される。【０００４】
しかしながら、ワックスは、人工歯に付着しやすい傾向があり、また、温度上昇によって軟化する材料であるため、前記構成の座板より人工歯が脱落しやすい傾向がある。【０００５】
このため、前記のような座板の構成では、搬送時や保管時において人工歯の紛失を十分に防止することができないという問題があった。【０００６】
また、義歯作成の際に、前記構成の座板から人工歯を取り外す場合、上記のように、ワックスが人工歯の歯頸部やその周辺に付着して残りやすい。この場合、付着したワックスの除去作業が必要となり、人工歯の排列と全く関係のない作業を行うことを余儀なくされていた。このため、前記のような座板に人工歯を固定するのにワックスを使用する限り、排列時の作業効率を根本的に改善することができないという問題があった。
【特許文献１】特開２０００−２３７２１３号公報
【特許文献２】特開２００２−３１５７６４号公報
【特許文献３】特開２００３−３１０６４５号公報
【発明の開示】
【発明が解決しようとする課題】
【０００７】
したがって、本発明は、保管や搬送の際に人工歯の紛失を防止し、かつ、人工歯の排列と無関係な作業をする必要のない人工歯包装容器を提供して、人工歯の簡易包装を実現することを課題とする。
【課題を解決するための手段】
【０００８】
前記課題を解決するための手段として、本発明は、人工歯を開口部より挿入して収納する複数の収納ポケットを備える収納部材と、該収納部材に固定されて、前記人工歯を収納した前記複数の収納ポケットの開口部を封止するシール部材とで構成される。【０００９】
前記複数の収納ポケットが、前記収納部材に相互に分離して形成された複数の開口部と、該複数の開口部より延在する複数の壁部とからなるのが好ましい。【００１０】
前記複数の収納ポケットが、前記収納部材の一方の面に一体化して形成された開口部と、該開口部より延在し、仕切壁で区画された壁部とからなるのが好ましい。【００１１】
前記収納部材が、前記シール部材を摺動固定する摺動用溝部を形成する折曲部を備えるのが好ましい。
【発明の効果】
【００１２】
本発明に係る人工歯包装容器によれば、人工歯固定用のワックス等の貼着材料を用いずに人工歯を包装するので、保管や搬送の際に温度が急激に変化したとしても、シール部材が収納部材から剥離することはなく、排列作業前に人工歯が離脱して紛失するような事態が発生することはない。【００１３】
また、ワックス等の貼着材料の除去のような排列作業と無関係な作業を行う必要がなくなり、人工歯を本発明に係る人工歯包装容器から取り出せば、人工歯の排列作業を直ちに行うことができ、円滑な義歯の作製が可能となる。【００１４】
本来収納すべきものと異なる人工歯を誤って収納したまま包装して保管又は搬送するような事態を未然に防ぐことができる。
【図面の簡単な説明】
【００１５】
【図１】本発明の実施形態に係る人工歯包装容器の斜視図であり、下顎左用人工臼歯を包装した状態を示している。
【図２】図１に示した人工歯包装容器の底面図である。
【図３】図２に示した人工歯包装容器のＩＩＩ−ＩＩＩ線断面図である。
【図４】図１に示した人工歯包装容器の分解斜視図である。
【図５】図１に示した人工歯包装容器の変形例を示す斜視図であり、下顎左用人工臼歯を包装した状態を示している。
【図６】図５に示した人工歯包装容器の底面図である。
【図７】図５に示した人工歯包装容器のＶＩＩ−ＶＩＩ線断面図である。
【図８】図５に示した人工歯包装容器の分解斜視図である。
【図９】図１に示した収納部材の変形例を示す拡大左側面図である。
【図１０】図９に示した収納部材の底面図である。
【図１１】図９に示した収納部材の使用方法を示す斜視図である。
【符号の説明】
【００１６】
１  人工歯包装容器
２  下顎左用人工臼歯
３  下顎左用人工第１小臼歯
４  下顎左用人工第２小臼歯
５  下顎左用人工第１大臼歯
６  下顎左用人工第２大臼歯
７  収納部材
７ａ  収納部材の表面部
７ｂ  収納部材の裏面部
８  シール部材
９  収納ポケット
１０  人工第１小臼歯収納ポケット
１１  人工第２小臼歯収納ポケット
１２  人工第１大臼歯収納ポケット
１３  人工第２大臼歯収納ポケット
１４，１５，１６，１７  各収納ポケットの開口部
１８，１９，２０，２１  各収納ポケットの壁部
１８ａ，１９ａ，２０ａ，２１ａ  各収納ポケットの壁部の周壁
１８ｂ，１９ｂ，２０ｂ，２１ｂ  各収納ポケットの壁部のベース壁
２２  収納部材の外周フランジ
２３，２４，２５  収納部材の仕切部
２６  収納ポケットの開口部
２７  収納ポケットの外周壁部
２７ａ  収納ポケットの外周壁部の周壁
２７ｂ  収納ポケットの外周壁部のベース壁
２８  第１仕切壁
２９  第２仕切壁
３０  第３  仕切壁
３１  第１折曲部
３２  第２折曲部
３３  第３折曲部
３４  摺動用溝部
３５  ストッパ用溝部
【発明を実施するための最良の形態】
【００１７】
以下、添付の図面に従って、本発明を説明する。【００１８】
図１〜図４は、人工歯を包装する本発明の実施形態に係る人工歯包装容器１を示したものである。ここで、「人工歯」とは、人工臓器である義歯を作製する際に使用される既製品の歯であり、その種類、色調、形態によって多種多様のものがあるが、大別して陶製加工の「陶歯」と、樹脂製加工の「レジン歯」がある。また、人工歯は、通常、上顎用人工前歯６本、下顎用人工前歯６本、上顎用人工臼歯８本、下顎用人工臼歯８本をそれぞれ１セットとして販売されている。【００１９】
人工歯包装容器１は、複数の人工歯を任意に組合せて包装するものであり、図１〜図４に示すように、本実施形態では、下顎左用人工第１小臼歯３と、下顎左用人工第２小臼歯４と、下顎左用人工第１大臼歯５と、下顎左用人工第２大臼歯６とからなる４本の下顎左用人工臼歯２を包装するものについて例示して説明する。人工歯包装容器１は、下顎左用人工臼歯２を収納する収納部材７と、前記下顎左用人工臼歯２を収納した収納部材７に貼着されるシール部材８とで構成される。【００２０】
収納部材７は、略矩形状の透明な合成樹脂シートや光硬化性樹脂シートからなり、収納ポケット９を備える。合成樹脂シート等の一方の面は、図３に示すように収納部材７の表面部７ａを構成し、他方の面は、収納部材７の裏面部７ｂを構成する。【００２１】
収納ポケット９は、下顎左用人工第１小臼歯３を収納する人工第１小臼歯収納ポケット１０と、下顎左用人工第２小臼歯４を収納する人工第２小臼歯収納ポケット１１と、下顎左用人工第１大臼歯５を収納する人工第１大臼歯収納ポケット１２と、下顎左用人工第２大臼歯６を収納する人工第２大臼歯収納ポケット１３とからなる。収納部材７は、前記合成樹脂シート等をプレス成形、ブロー成形、射出成形、光造形法等の公知の方法で成形され、本実施形態では、図３に示すように、各収納ポケット１０〜１３が凹状に構成されている。【００２２】
各収納ポケット１０〜１３は、図３に示すように、各下顎左用人工臼歯３〜６を挿入する開口部１４，１５，１６，１７と、この開口部１４〜１７より収納部材７の表面部７ａ側に向かって延在する壁部１８，１９，２０，２１とからなる。各収納ポケット１０〜１３の開口部１４〜１７は、図４に示すように、円形状に構成され、収納部材７の裏面部７ｂ側に相互に分離して形成される。各収納ポケット１０〜１３の壁部１８〜２１は、図３に示すように、開口部１４〜１７に連設された周壁１８ａ，１９ａ，２０ａ，２１ａと、この周壁１８ａ〜２１ａに連設されたベース壁１８ｂ，１９ｂ，２０ｂ，２１ｂとからなる。【００２３】
本実施形態では、収納ポケット９は、人工第１小臼歯収納ポケット１０、人工第２小臼歯収納ポケット１２、人工第１大臼歯収納ポケット１３、人工第２大臼歯収納ポケット１３の順番で一列に配置されている。各収納ポケット１０〜１３は、各下顎左用人工臼歯３〜６の形状及び大きさに対応した形状で構成され、人工第１小臼歯収納ポケット１０と人工第２小臼歯収納ポケット１１は、人工第１大臼歯収納ポケット１２や人工第２大臼歯収納ポケット１３よりも開口部１０ａ，１１ａが小さく構成される。【００２４】
収納部材７は、収納ポケット９の周囲に形成された外周フランジ２２と、各収納ポケット１０〜１３の開口部１４〜１７の間に形成される仕切部２３，２４，２５とを備える。収納部材７の裏面部７ｂには、外周フランジ２２と仕切部２３，２４，２５とで規定された溶着領域が形成される。各収納ポケット１０〜１３の開口部１４〜１７は、下顎左用人工臼歯２が収納ポケット９に収納された状態でシール部材８が収納部材７の溶着領域に熱溶着等で固定されることで、シール部材８によって封止される。【００２５】
収納部材７の成形に使用される合成樹脂シートとしては、透明な厚さ０．０１ｍｍ〜０．０５ｍｍのポリ塩化ビニール（ＰＶＣ）、ポリスチレン（ＰＳ）、ポリエチレンテレフタレート（ＰＥＴ）、ポリプロピレン（ＰＰ）、アモルファス−ポリエチレンテレフタレート（Ａ−ＰＥＴ）等がある。【００２６】
シール部材８は、破断容易な厚さ０．０１ｍｍ〜０．０５ｍｍで構成された矩形シート状のアルミニウム泊、紙、プラスチックフィルム等からなり、本実施形態では、前記収納部材７の外周の寸法と同じ大きさで構成されている。シール部材８は、図４に示すように、各下顎左用人工臼歯３〜６が各収納ポケット１０〜１３に収納された状態で収納部材７の溶着領域に熱溶着等で固定され、各収納ポケット１０〜１３の開口部１４〜１７を封止する。【００２７】
例えば、義歯作製の際に本実施形態に係る人工歯包装容器１で包装された下顎左用人工第１小臼歯３を取り出す場合には、人工第１小臼歯収納ポケット１０の壁部１８のベース壁１８ｂを収納部材７の裏面部７ｂ側に向かって押圧し、押し出した下顎左用人工第１小臼歯３でシール部材８を破断させる。その結果、下顎左用人工第１小臼歯３の歯頸部周辺がシール部材８より露出した状態となり、その露出部分を把持して下顎左用人工第１小臼歯３を人工第１小臼歯収納ポケット１０より引き出すか、あるいは、人工第１小臼歯収納ポケット１０の壁部１８のベース壁１８ｂを収納部材７の裏面部７ｂ側に向かってさらに押圧して、下顎左用人工第１小臼歯３を人工第１小臼歯収納ポケット１０から離脱させる。他の人工臼歯４〜６についても、上記と同様の手順に従えば、各収納ポケット１１〜１３から取り出すことが可能である。本実施形態に係る人工歯包装容器１から取り出した下顎左用人工臼歯２は、人間の顎の運動を擬似的に再現する咬合器に取り付けた下顎模型のワックスリムの隆起部に埋入され、前記咬合器を用いて隣接する人工歯との排列位置関係及び上方の上顎左用人工臼歯との排列位置関係を調整しながら排列される。排列が完了した下顎左用人工臼歯２は、歯頸部にワックス等が塗布されて、下顎模型のワックスリムに固定される。【００２８】
本実施形態に係る人工歯包装容器１で人工歯を包装する場合、人工歯を収納部材７の収納ポケット９に収納して、収納部材７とシール部材８とを熱溶着等してその開口部１４〜１７を封止するだけであるので、人工歯を包装する際に、人工歯固定用のワックス等の貼着材料を人工歯に塗布する必要がなくなる。収納部材７とシール部材８との熱溶着等は温度変化の影響を受けにくいので、保管や搬送の際に温度が急激に変化したとしてもシール部材８が収納部材７から剥離することはなく、排列作業前に人工歯が離脱して紛失するような事態が発生することはない。【００２９】
また、ワックス等の貼着材料を用いた包装材料であれば、人工歯に残存した貼着材料の除去作業という人工歯の排列とは全く関係のない作業を必要としたが、本実施形態に係る人工歯包装容器１を使用した場合は、上記のような貼着材料の除去作業をする必要がなくなるので、人工歯を収納ポケット９から取り出せば、人工歯の排列作業を直ちに行うことができ、円滑な義歯の作製が可能となる。【００３０】
さらに、本実施形態に係る人工歯包装容器１では、収納ポケット９は、収納する人工歯に対応した形状と寸法で構成される。このため、人工歯が本来収納されるものより大きい場合には、収納ポケット９に収納することができない。一方、人工歯が本来収納される人工歯より小さい場合には、収納ポケット９に収納することは可能であるが、シール部材８の封止前に収納ポケット９を一見すれば、人工歯が誤って収納されていることを目視することができる。その結果、本来収納すべきものと異なる人工歯を誤って収納ポケット９に収納することを未然に防止することができる。【００３１】
なお、本実施形態に係る人工歯包装容器１は、前述したように、本発明を説明するための単なる例示であって、その構成が前記のようなものに限定されるものではなく、以下のように構成してもよい。【００３２】
まず、人工歯包装容器１の収納部材７は、複数の人工歯を任意に組み合わせて収納ポケット９に収納するように構成されていればよく、例えば、下顎右用人工臼歯４本又は左右いずれか一方の上顎用人工臼歯４本、上顎用又は下顎用人工歯１４本全部、上顎用又は下顎用人工前歯２本、４本又は６本を人工歯収納部７に収納される人工歯として組み合わせ、前記組み合わせの人工歯を収納ポケット９に収納してシール部材８で封止するようなものであってもよい。また、収納部材７に収納される人工歯は、前記の人工臼歯や人工前歯に限定されず、歯の美観向上のために薄く削られた歯の表面に貼り付けるシェル材や、人工臼歯又は人工前歯が相互に連結された連結歯であってもよい。【００３３】
また、上記実施形態では、各下顎左用人工臼歯３〜６を挿入する各収納ポケット１０〜１３の開口部１４〜１６は、収納部材７の裏面部７ｂ側に相互に分離して形成され、複数の壁部１８〜２１が各開口部１４〜１６より収納部材７の表面部７ａ側に向かって延在しているが、例えば、図５に示すように、各下顎左用人工臼歯３〜６を挿入する各収納ポケット１０〜１３の開口部２６を一体化して形成し、周壁２７ａとベース壁２７ｂとで構成された一つの外周壁部２７がこの開口部２６より収納部材７の表面部７ａ側に向かって延在するように収納ポケット９を構成してもよい。前記のように開口部２６が一体化して形成された場合、収納する人工歯の個数に応じて、外周壁部２７のベース壁２７ｂに仕切壁が垂設され、外周壁部２７で規定された空間を複数に区画して、収納ポケット９を形成する。図５〜図８に示す人工歯包装容器１では、第１仕切壁２８、第２仕切壁２９、及び第３仕切壁３０が外周壁部２７のベース壁２７ｂの内面に垂設され、外周壁部２７で規定された空間を４つに区画して、人工第１小臼歯収納ポケット１０と人工第２小臼歯収納ポケット１１と人工第１大臼歯収納ポケット１２と人工第２大臼歯収納ポケット１３とからなる収納ポケット９を形成し、各下顎左用人工臼歯３〜６が各収納ポケット１０〜１３に収納されている。【００３４】
さらに、収納部材７に対するシール部材８の固定手段は、熱溶着に限定されるものではなく、例えば、図９に示すように、収納部材７の端部に、裏面部７ｂ側に折り曲げられた折曲部３１，３２，３３を設けて、シール部材８を摺動させる摺動用溝部３４とシール部材８の摺動を制限するストッパ用溝部３５とを形成するようにしてもよい。図９〜図１１に示す収納部材７では、第１、第２折曲部３１，３２は、長辺の両端に設けられ、前記摺動用溝部３２を形成する。第３折曲部３３は、第２大臼歯収納ポケット１３側の短辺の一端に設けられ、ストッパ用溝部３５を形成する。なお、シール部材８は、破断する必要がないので、上記実施形態よりも厚みのある紙、プラスチック等の矩形状シートで構成してもよい。【００３５】
さらに、収納部材７の各収納ポケット１０〜１３は、図示の形状に限定されるものではなく、例えば、収納される人工歯の形状にそれぞれ対応した形状で各収納ポケット１０〜１３を構成し、他の人工歯が誤って収納されることを防止するように構成してもよい。また、上記実施形態に係る収納部材７の各収納ポケット１０〜１３の間とシール部材８に、それぞれ切取線を形成して、前記の人工歯包装容器１を、単位包装体として収納ポケット１０〜１３を一つずつ切り離すことができるように構成してもよい。また、収納ポケット９の開口部１４〜１７に対応するシール部材８の封止領域に破断用切込線や破断用薄肉部を形成して、人工歯の取り出しの際に、シール部材８が容易に破断するように構成してもよい。また、剥離用摘み部が形成されるように角部の一つを貼着せずに、収納部材７とシール部材８とを貼着してもよい。
【図１】
2009019770.tif 000003
【図２】
2009019770.tif 000004
【図３】
2009019770.tif 000005
【図４】
2009019770.tif 000006
【図５】
2009019770.tif 000007
【図６】
2009019770.tif 000008
【図７】
2009019770.tif 000009
【図８】
2009019770.tif 000010
【図９】
2009019770.tif 000011
【図１０】
2009019770.tif 000012
【図１１】
2009019770.tif 000013
【国際調査報告】
2009019770.tif 000014
2009019770.tif 000015
2009019770.tif 000016
2009019770.tif 000017